(57)【特許請求の範囲】
【請求項１】
径の異なる少なくとも３種類のコルゲートに取り付け可能なコルゲートクリップであって、
前記コルゲートに装着される本体と、
この本体にヒンジ型の連結部を介して連結されて前記本体と共に前記コルゲートに装着される蓋部と、
前記本体及び蓋部のいずれか一方の前記連結部とは反対側の端部に形成されたオス型係合部と、
前記本体及び蓋部のいずれか他方の前記連結部とは反対側の端部に形成されて前記オス型係合部と係合するメス型係合部と、
を備えてなり、
前記本体と前記蓋部とは、前記オス型係合部とメス型係合部とが係合されることにより前記コルゲートを囲む輪状体を形成し、
前記オス型係合部は、前記メス型係合部に対する挿入方向と平行な少なくとも３つの面を形成すると共に、これら面にそれぞれ前記挿入方向の位置を異ならせ、かつそれぞれ同一面に重複しないように係止爪が形成され、これら係止爪によって前記メス型係合部と前記挿入方向の少なくとも３つの異なる位置で係合されるものであり、
コルゲートクリップ全体が一方向の型抜きで成型されていることを特徴とするコルゲートクリップ。
【請求項２】
前記本体及び蓋部の内周面には、前記コルゲートの溝部に嵌合する突起が設けられていることを特徴とする請求項１記載のコルゲートクリップ。
【請求項３】
前記メス型係合部は、前記コルゲートへの装着時に、前記オス型係合部が貫通する環状体であることを特徴とする請求項１又は２記載のコルゲートクリップ。
【発明の詳細な説明】
【０００１】
【発明の属する技術分野】
本発明は、ワイヤーハーネスを保護するコルゲートに取り付けられて、コルゲートを車体等に固定するコルゲートクリップに関し、特に径の異なる少なくとも３種類のコルゲートを把持することのできるコルゲートクリップに関する。
【０００２】
【従来の技術】
自動車用ワイヤーハーネスの固定方法として、ワイヤーハーネスをコルゲート内に収納して、コルゲートクリップによりコルゲートを把持すると共に、車体側の穴やブラケット等に固定する方法が知られている。
【０００３】
【発明が解決しようとする課題】
従来使用されていたコルゲートクリップは、固定できるコルゲートの直径が１種類又は２種類に限定されていた。
よって、従来のコルゲートを使用する場合には、使用するコルゲートの種類分だけ、コルゲートクリップが必要となり、品種が増加してしまい、製造・管理コストが増加する原因となっていた。
【０００４】
本発明は、かかる問題点に鑑みなされたもので、簡易な構造変更をもって、少なくとも３種類のコルゲートを把持することができ、製造・管理コストを低減することのできるコルゲートクリップを提供することを目的とする。
【０００５】
【課題を解決するための手段】
本発明に係るコルゲートクリップは、径の異なる少なくとも３種類のコルゲートに取り付け可能なコルゲートクリップであって、前記コルゲートに装着される本体と、この本体にヒンジ型の連結部を介して連結されて前記本体と共に前記コルゲートに装着される蓋部と、前記本体及び蓋部の前記連結部とは反対側の端部の一方に形成されたオス型係合部と、前記本体及び蓋部の前記連結部とは反対側の端部の他方に形成されて前記オス型係合部と係合するメス型係合部と、を備えてなり、前記本体と前記蓋部とは、前記オス型係合部とメス型係合部とが係合されることにより前記コルゲートを囲む輪状体を形成し、前記オス型係合部は、前記メス型係合部に対する挿入方向と平行な少なくとも３つの面を形成すると共に、これら面にそれぞれ前記挿入方向の位置を異ならせて係止爪が形成され、これら係止爪によって前記メス型係合部と前記挿入方向の少なくとも３つの異なる位置で係合されるものであることを特徴とする。
【０００６】
本発明によれば、オス型係合部とメス型係合部の係合位置を少なくとも３箇所設けることによって、一種類のコルゲートクリップで径の異なる少なくとも３種類のコルゲートを把持することができるので、製造・管理コストを低減することができる。
【０００７】
しかも、この発明によれば、オス型係合部は、前記メス型係合部に対する挿入方向と平行な少なくとも３つの面を形成すると共に、これら面にそれぞれ前記挿入方向の位置を異ならせて係止爪が形成され、これら係止爪によって前記メス型係合部と前記挿入方向の少なくとも３つの異なる位置で係合されるようになっているので、係合爪を同一面に重複して形成する必要がない。このようにすることによって、アンダーカットが生ずることがなく、コルゲートクリップ全体を一方向の型抜きで成型することが可能となり、生産性を向上させることができる。
【０００８】
なお、メス型係合部は、前記コルゲートへの装着時に、前記オス型係合部が貫通する環状体であることが望ましい。このような構成とすることにより、本体を所定位置に設置したときのオス型係合部の先端位置をセンサ等で検出することにより、コルゲートクリップがコルゲートへ正しく装着されたかどうかの装着状態を容易に検査することができ、製造ラインでの装着不良を容易に発見することができる。
【０００９】
【発明の実施の形態】
以下、添付の図面を用いて本発明に係る好ましい実施の形態について説明する。
図１は、本発明の一実施形態に係るコルゲートクリップの要部を示す斜視図、図２は、同クリップの平面図及び側面図である。なお、図示の例はコルゲートクリップに固定用のアンカーＳが取付けられたアンカータイプである。
本発明に係るコルゲートクリップ１は、コルゲートに装着される本体１１と、
この本体１１にヒンジ型の連結部２を介して連結されて本体１１と共にコルゲートに装着される蓋部１２と、蓋部１２の連結部２とは反対側の端部に形成されたオス型係合部３と、本体１１の連結部２とは反対側の端部に形成されてオス型係合部３と係合するメス型係合部４とから構成されている。この本体１１と蓋部１２とは、オス型係合部３とメス型係合部４とが係合されることによりコルゲートを囲む輪状体を形成する。オス型係合部３は、メス型係合部４に対する挿入方向と平行な３つの面を有し、これらの面にそれぞれ挿入方向の位置を異ならせて３つの係止爪３ａ，３ｂ，３ｃが形成され、これら係止爪３ａ，３ｂ，３ｃによってメス型係合部４と挿入方向の少なくとも３つの異なる位置で係合されるものである。また、本体１１は、図２に示すように、自身を取付位置に取付固定するためのアンカーＳを備えており、このアンカーＳを成型するための抜き穴１６が本体１１に設けられている。
【００１０】
図３（ａ）〜（ｃ）に、本発明に係るコルゲートクリップ１のメス型係合部４と、係止爪３ａ，３ｂ，３ｃが係合して、径の異なる３種類のコルゲート８ａ，８ｂ，８ｃを把持している様子を示す。
同図（ａ）は、３種類のコルゲートの内、最も径の大きいコルゲート８ａを、同図（ｂ）は３種類のコルゲートの内、中間の径のコルゲート８ｂを、同図（ｃ）は３種類のコルゲートの内、最も径の小さいコルゲート８ｃを把持している様子を示している。係止爪３ａ,３ｂは、オス型係合部３に形成された縦溝３ｄによって、それぞれの形成された面がそれと直交する方向に弾性変形することにより、メス型係合部４と係合される。また、係止爪３ｃは、オス型係合部３のコルゲート内側への弾性変形によってメス型係合部４と係合される。
このとき、コルゲートの外周面に形成された図示しない溝と本体１１及び蓋部１２の内周面に設けられている突条部１５とが噛み合うことによって、コルゲート８ａの軸方向への変位を規制している。
【００１１】
以上述べたように、オス型係合部とメス型係合部の係合位置を３箇所設けることによって、一種類のコルゲートクリップで径の異なる３種類のコルゲートを把持することができるので、製造・管理コストを低減することができる。
【００１２】
また、本発明に係るコルゲートクリップでは、オス型係合部３は、メス型係合部４に対する挿入方向と平行な３つの面を形成されており、これら３つの面上にそれぞれ挿入方向の位置を異ならせている３つの係止爪３ａ，３ｂ，３ｃが形成されている。このような構成とすることにより、アンダーカットが生ずることがなく、コルゲートクリップ全体を一方向の型抜きで成型することが可能となり、生産性を向上させることができる。
【００１３】
図４は、本発明に係るコルゲートクリップ１を３種類の径の異なるコルゲート８ａ，８ｂ，８ｃへ夫々装着し、コルゲートの径に応じて選択される３種類の治具５ａ，５ｂ，５ｃに配置した様子を示している。本発明に係るコルゲートクリップは、メス型係合部４がコルゲートへの装着時に、前記オス型係合部が貫通する環状体であるため、本体１１を所定位置に設置したときのオス型係合部３の先端位置をセンサ９で検出することにより、コルゲートクリップ１がコルゲートへ正しく装着されたかどうかの装着状態を容易に検査することができ、製造ラインでの装着不良を容易に発見することができる。
【００１４】
また、上述の例に限らず、オス型係合部を本体１１の連結部２とは反対側の端部に、メス型係合部を蓋部１２の連結部２とは反対側の端部に配置しても良い。
【００１５】
なお、上述の例では径の異なる３種類のコルゲートに対応可能なコルゲートクリップについて説明したが、本発明にかかるコルゲートクリップはこれに限られるものではなく、オス型係合部及びメス型係合部の構造を工夫することで、径の異なる更に多くの種類のコルゲートに対応させることも可能である。
また、上記実施例はアンカーが取付けられたアンカータイプであったが、本発明は、車体のブラケットに固定する孔が形成されたブラケットタイプのコルゲートクリップにも適用可能である。
【００１６】
【発明の効果】
本発明によれば、オス型係合部とメス型係合部の係合位置を少なくとも３箇所設けることによって、一種類のコルゲートクリップで径の異なる少なくとも３種類のコルゲートを把持することができるので、製造・管理コストを低減することができるという効果を奏する。
【図面の簡単な説明】
【図１】本発明の実施形態に係るコルゲートクリップの要部を示す斜視図である。
【図２】本発明の実施形態に係るコルゲートクリップの要部を示す平面図及び側面図である。
【図３】本発明の実施形態に係るコルゲートクリップを使用している様子を示す図である。
【図４】本発明の実施形態に係るコルゲートクリップを使用している様子を示す図である。
【符号の説明】
１…コルゲートクリップ、１１…本体、１２…蓋部、１５…突条部、１６・・・固定部、２・・・連結部、３…オス型係合部、３ａ，３ｂ，３ｃ…係止爪、４…メス型係合部、５ａ，５ｂ，５ｃ…治具、８ａ，８ｂ，８ｃ・・・コルゲート、９…センサ。
【図１】
0004493835.tif 000002
【図２】
0004493835.tif 000003
【図３】
0004493835.tif 000004
【図４】
0004493835.tif 000005